(57)【要約】【課題】特定のタッチ操作を無効にする誤タッチ対策によってタッチの操作性が低下してしまうという課題がある。【解決手段】少なくとも画像並びに所定の設定に係るアイコンを表示する表示装置と、前記表示装置上へのタッチを検出するタッチ検出手段と、前記タッチ検出手段により、タッチ位置が移動されて特定の機能が割り当てられた特定の領域に入るムーブインを検出するムーブ検出手段と、前記ムーブ検出手段によりムーブインが検出されるまでに前記タッチ位置が移動したムーブの方向を判定するムーブ方向判定手段と、前記表示装置が本体部に収められた状態かどうかを判定する表示装置位置判定手段と、前記表示装置位置判定手段により判定された結果に応じて、前記ムーブ方向判定手段により判定された特定方向からのムーブインを有効または無効とする処理手段と、を有することを特徴とする。【選択図】図３
2018055139.tif 000002
【特許請求の範囲】
【請求項１】
少なくとも画像並びに所定の設定に係るアイコンを表示する表示装置と、（２８）
前記表示装置上へのタッチを検出するタッチ検出手段と、（Ｓ３０２）
前記タッチ検出手段により、タッチ位置が移動されて特定の機能が割り当てられた特定の領域に入るムーブインを検出するムーブ検出手段と、（Ｓ３０３）
前記ムーブ検出手段によりムーブインが検出されるまでに前記タッチ位置が移動したムーブの方向を判定するムーブ方向判定手段と、（Ｓ３０４）
前記表示装置が本体部に収められた状態かどうかを判定する表示装置位置判定手段と、（Ｓ３０５）
前記表示装置位置判定手段により判定された結果に応じて、前記ムーブ方向判定手段により判定された特定方向からのムーブインを有効または無効とする処理手段と、（Ｓ３０４，Ｓ３０５）
を有することを特徴とする撮像装置。
【請求項２】
前記ムーブ方向判定手段はムーブインの方向が右方向、もしくは上方向であるかどうかを判定することを特徴（Ｓ３０４）とする請求項１に記載の撮像装置。
【請求項３】
前記ムーブ方向判定手段は前記表示装置外からのムーブインであるかどうかを判定することを特徴（Ｓ３０２，Ｓ３０３）とする請求項１に記載の撮像装置。
【請求項４】
前記表示装置位置判定手段により、前記表示装置が視認できる状態で本体部に収められた状態かどうかを判定することを特徴（Ｓ３０５）とする請求項１に記載の撮像装置。
【請求項５】
前記表示装置位置判定手段により、本体部に収められていない状態であると判定された時、特定方向からのムーブインを有効にすることを特徴（Ｓ３０４，Ｓ３０５）とする請求項１に記載の撮像装置。
【請求項６】
前記表示装置位置判定手段により、前記表示装置を視認できる状態で、かつ本体部に収められた状態であると判定された時、特定方向からのムーブインを無効にすることを特徴（Ｓ３０４，Ｓ３０５）とする請求項１乃至請求項４の何れか一項に記載の撮像装置。
【請求項７】
少なくとも画像並びに所定の設定に係るアイコンを表示する表示装置と、（Ｓ４０１）
前記表示装置上へのタッチを検出するタッチ検出手段と、（Ｓ４０２）
前記タッチ検出手段により閾値以上の領域へのタッチ操作を検知した場合にはタッチ操作を無効とし、閾値未満の領域へのタッチ操作を検出した場合にタッチ操作を有効とするタッチ操作判定手段と、（Ｓ４０３，Ｓ４０４）
前記表示装置が本体部に収められた状態かどうかを判定する表示装置位置判定手段と、（Ｓ４０５）
前記表示位置判定手段により判定された結果に応じて、前記タッチ操作判定手段により判定される、閾値以上の領域へのタッチ操作を有効または無効とする処理手段と、（Ｓ４０４，Ｓ４０５）
を有することを特徴とする撮像装置。
【請求項８】
前記表示装置位置判定手段により、前記表示装置が視認できる状態で本体部に収められた状態かどうかを判定することを特徴（Ｓ４０５）とする請求項７に記載の撮像装置。
【請求項９】
前記表示装置位置判定手段により、本体部に収められていない状態であると判定された時、閾値以上の領域へのタッチ操作を有効にすることを特徴（Ｓ４０４，Ｓ４０５）とする請求項７に記載の撮像装置。
【請求項１０】
前記表示装置位置判定手段により、前記表示装置を視認できる状態で、かつ本体部に収められた状態であると判定された時、閾値以上の領域へのタッチ操作を無効にすることを特徴（Ｓ４０４，Ｓ４０５）とする請求項７乃至請求項９の何れか一項に記載の撮像装置。
【発明の詳細な説明】
【技術分野】
【０００１】
本発明は、撮像装置、撮像装置の制御方法、プログラムおよび記録媒体に関する。
【背景技術】
【０００２】
従来、特許文献１のように、カメラ部材操作時に誤ってタッチしてしまう誤操作を防ぐため、表示部外からのタッチアイテムへのムーブインを検出し、その方向が特定方向からのムーブインならタッチを制限する手段が開示されている。また特許文献２には、表示部が本体に収まっている時は、接眼検知センサ近くのオブジェクトへのタッチを制限することで、誤操作を防ぐ手段が開示されている。
【先行技術文献】
【特許文献】
【０００３】
【特許文献１】特開２０１４−０１０４９４号公報
【特許文献２】特開２０１１−２３２７４１号公報
【発明の概要】
【発明が解決しようとする課題】
【０００４】
しかしながら、特許文献１に開示された従来技術では、表示部外からのタッチアイテムへのムーブインを検出し、その方向が特定方向からのムーブインなら無条件で制限しているため、意図したムーブインも制限してしまい、タッチ操作性に問題点がある。また特許文献２に開示された従来技術では、表示部が本体に収まっているかどうかに応じて、タッチアイテムへのタッチ操作そのものを無効にしている。そのため特定方向からのムーブインのような誤操作が想定されるタッチ操作以外のタッチ操作も制限してしまうので、タッチ操作性に問題点がある。
【０００５】
そこで、本発明の目的は、表示部が本体に収まっている時、誤タッチを防ぎつつ、誤タッチ対策によるタッチの操作性低下を抑える撮像装置を提供することにある。
【課題を解決するための手段】
【０００６】
上記の目的を達成するために、本発明に係る撮像装置は、
少なくとも画像並びに所定の設定に係るアイコンを表示する表示装置と、前記表示装置上へのタッチを検出するタッチ検出手段と、前記タッチ検出手段により、タッチ位置が移動されて特定の機能が割り当てられた特定の領域に入るムーブインを検出するムーブ検出手段と、前記ムーブ検出手段によりムーブインが検出されるまでに前記タッチ位置が移動したムーブの方向を判定するムーブ方向判定手段と、前記表示装置が本体部に収められた状態かどうかを判定する表示装置位置判定手段と、前記表示装置位置判定手段により判定された結果に応じて、前記ムーブ方向判定手段により判定される特定方向からのムーブインを有効または無効とする処理手段と、を有することを特徴とする。
【発明の効果】
【０００７】
本発明に係る撮像装置によれば、誤タッチを防ぎつつ、誤タッチ対策によるタッチの操作性低下を抑えることができる。
【図面の簡単な説明】
【０００８】
【図１】本実施形態に係るデジタルカメラの外観構成の一例を示す図である。
【図２】本実施形態に係るデジタルカメラの内部構成の一例を示す図である。
【図３】本実施形態において、ライブビュー撮影を開始し、表示部が本体に収められている状態で、タッチボタンに対して表示部外からのムーブイン操作が行われ、ライブビュー撮影を終了するまでの動作手順の一例を示すフローチャートである。
【図４】本実施形態において、ライブビュー撮影を開始し、表示部が本体に収められている状態で、タッチボタンに対して一定面積以上の領域へのタッチ操作が行われ、ライブビュー撮影を終了するまでの動作手順の一例を示すフローチャートである。
【図５】本実施形態による、ライブビュー撮影画面の一例を示す図である。
【図６】本実施形態による、ライブビュー撮影設定画面の一例を示す図である。
【図７】本実施形態による、操作指示の際に誤ってタッチボタンへムーブインする際の一例を示す図である。
【発明を実施するための形態】
【０００９】
以下、図面を参照して本発明の好適な実施形態を説明する。図１に、本発明の撮像装置の一例としてのデジタルカメラの外観図を示す。表示部２８は画像や各種情報を表示する表示部である。シャッターボタン６１は撮影指示を行うための操作部である。モード切替スイッチ６０は各種モードを切り替えるための操作部である。コネクタ１１２は、パーソナルコンピュータやプリンタなどの外部機器と接続するための接続ケーブル１１１とデジタルカメラ１００とのコネクタである。操作部７０はユーザからの各種操作を受け付ける各種スイッチ、ボタン、タッチパネル等の操作部材より成る操作部である。
【００１０】
コントローラホイール７３は操作部７０に含まれる回転操作可能な操作部材である。電源スイッチ７２は、電源オン、電源オフを切り替えるための押しボタンである。記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となり、記録や再生が可能となる。蓋２０３は記録媒体スロット２０１の蓋である。図においては、蓋２０２を開けてスロット２０１から記録媒体２００の一部を取り出して露出させた状態を示している。
【００１１】
図２は本実施形態によるデジタルカメラ１００の構成例を示すブロック図である。図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００１２】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、撮像面位相差ＡＦやコントラストＡＦなどのＡＦ処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１３】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１４】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー表示）を行える。
【００１５】
不揮発性メモリ５６は、電気的に消去・記録可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００１６】
システム制御部５０は、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００１７】
システムタイマー５３は各種制御に用いる時間や、内蔵された時計の時間を計測する計時部である。モード切替スイッチ６０、シャッターボタン６１、操作部７０はシステム制御部５０に各種の動作指示を入力するための操作手段である。
【００１８】
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切替スイッチ６０で、メニューボタンに含まれるこれらのモードのいずれかに直接切り替えられる。あるいは、モード切替スイッチ６０でメニューボタンに一旦切り換えた後に、メニューボタンに含まれるこれらのモードのいずれかに、他の操作部材を用いて切り替えるようにしてもよい。同様に、動画撮影モードにも複数のモードが含まれていてもよい。
【００１９】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２０】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２１】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２２】
コントローラホイール７３は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。このパルス信号によって、コントローラホイール７３が回転操作された角度や、何回転したかなどを判定することができる。なお、コントローラホイール７３は回転操作が検出できる操作部材であればどのようなものでもよい。
【００２３】
例えば、ユーザの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザの指の回転動作などを検出するものであってもよい（いわゆる、タッチホイール）。
【００２４】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２５】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや光ディスク、磁気ディスク等から構成される。
【００２６】
通信部５４は、無線または有線ケーブルによって接続し、映像信号や音声信号等の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００２７】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、画像を回転して記録したりすることが可能である。姿勢検知部５５としては、加速度センサやジャイロセンサなどを用いることができる。
【００２８】
なお操作部７０の一つとして、表示部２８に対する接触を検知可能なタッチパネルを有する。タッチパネルと表示部２８とは一体的に構成することができる。例えば、タッチパネルを光の透過率が表示部２８の表示を妨げないように構成し、表示部２８の表示面の上層に取り付ける。そして、タッチパネルにおける入力座標と、表示部２８上の表示座標とを対応付ける。これにより、ユーザが表示部２８上に表示された画面を直接的に操作可能であるかのようなＧＵＩ（グラフィカルユーザーインターフェース）を構成することができる。システム制御部５０はタッチパネルへの以下の操作。あるいは状態を検出できる。
【００２９】
・タッチパネルにタッチしていなかった指やペンが新たにタッチパネルにタッチしたこと。すなわち、タッチの開始（以下、タッチダウン（Ｔｏｕｃｈ−Ｄｏｗｎ）と称する）。
【００３０】
・タッチパネルを指やペンでタッチしている状態であること（以下、タッチオン（Ｔｏｕｃｈ−Ｏｎ）と称する）。
【００３１】
・タッチパネルを指やペンでタッチしたまま移動していること（以下、タッチムーブ（Ｔｏｕｃｈ−Ｍｏｖｅ）と称する）。
【００３２】
・タッチパネルへタッチしていた指やペンを離したこと。すなわち、タッチの終了（以下、タッチアップ（Ｔｏｕｃｈ−Ｕｐ）と称する）。
【００３３】
・タッチパネルに何もタッチしていない状態（以下、タッチオフ（Ｔｏｕｃｈ−Ｏｆｆ）と称する）。
【００３４】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００３５】
これらの操作・状態や、タッチパネル上に指やペンがタッチしている位置座標は内部バスを通じてシステム制御部５０に通知され、システム制御部５０は通知された情報に基づいてタッチパネル上にどのような操作が行なわれたかを判定する。タッチムーブについてはタッチパネル上で移動する指やペンの移動方向についても、位置座標の変化に基づいて、タッチパネル上の垂直成分・水平成分毎に判定できる。またタッチパネル上をタッチダウンから一定のタッチムーブを経てタッチアップをしたとき、ストロークを描いたこととする。
【００３６】
素早くストロークを描く操作をフリックと呼ぶ。フリックは、タッチパネル上に指をタッチしたままある程度の距離だけ素早く動かして、そのまま離すといった操作であり、言い換えればタッチパネル上を指ではじくように素早くなぞる操作である。所定距離以上を、所定速度以上でタッチムーブしたことが検出され、そのままタッチアップが検出されるとフリックが行なわれたと判定できる。また、所定距離以上を、所定速度未満でタッチムーブしたことが検出された場合はドラッグが行なわれたと判定するものとする。
【００３７】
タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対する指やペンの接近があったことでタッチがあったと検出する方式ものがあるが、いずれの方式でもよい。
【００３８】
［実施例１］
以下、図３を参照して、本発明の第１実施例によるライブビュー撮影の動作について説明する。図３は本実施形態において、ライブビュー撮影を開始し、表示部が本体に収められている状態で、タッチボタンに対して表示部外からのムーブイン操作が行われ、ライブビュー撮影を終了するまでの動作手順の一例を示すフローチャートである。Ｓ３０１では、システム制御部５０が、表示部２８にライブビュー撮影画面を表示する。ここで、図５は本実施形態において、ライブビュー撮影画面の一例であり、５０１はタッチ操作が有効なタッチボタンである。
【００３９】
Ｓ３０２では、システム制御部５０が、表示部２８のタッチ反応領域にタッチ操作が行われたかどうかを判定する。タッチ操作が行われたと判定した場合はＳ３１３に進む。一方、タッチ操作が行われたと判定できなかった場合は、Ｓ３０３に進む。Ｓ３０３では、システム制御部５０が、表示部２８に表示されているタッチボタン５０１にムーブイン操作が行われたかどうかを判定する。タッチボタン５０１にムーブイン操作が行われたと判定した場合はＳ３０４に進む。一方、タッチボタン５０１にムーブイン操作が行われていないと判定した場合は、Ｓ３０２に進む。
【００４０】
Ｓ３０４では、システム制御部５０が、タッチボタン５０１へのムーブイン操作が右方向、もしくは上方向から行われたかどうかを判定する。タッチボタン５０１へのムーブイン操作が右方向、もしくは上方向からだと判定した場合はＳ３０５に進む。一方、タッチボタン５０１へのムーブイン操作が右方向、もしくは上方向からでないと判定した場合は、Ｓ３０６に進む。
【００４１】
ここで、図７は本実施形態において、操作部７０の操作指示の際に誤ってタッチボタン５０１へムーブインする際の一例である。７０１は操作部７０を操作している指を示している。Ｓ３０５では、システム制御部５０が、表示部２８が視認できるような形でカメラ本体に収められているかどうかを判定する。視認できるような形でカメラ本体に収められていると判定した場合はＳ３１３に進む。一方、視認できるような形でカメラ本体に収められていないと判定した場合は、Ｓ３０６に進む。
【００４２】
Ｓ３０６では、システム制御部５０が、タッチボタン５０１の色を押下色に変更して、表示部２８に表示する。Ｓ３０７では、システム制御部５０が、表示部２８の表示されているタッチボタン５０１にムーブアウト操作が行われたかどうかを判定する。タッチボタン５０１にムーブアウト操作が行われたと判定した場合はＳ３１２に進む。一方、タッチボタン５０１にムーブアウト操作が行われていないと判定した場合は、Ｓ３０８に進む。
【００４３】
Ｓ３０８では、システム制御部５０が、表示部２８に表示されているタッチボタン５０１にタッチアップ操作が行われたかどうかを判定する。タッチボタン５０１にタッチアップ操作が行われたと判定した場合はＳ３０９に進む。一方、タッチボタン５０１にタッチアップ操作が行われていないと判定した場合は、Ｓ３０７に進む。Ｓ３０９では、システム制御部５０が、ライブビュー撮影設定画面へ遷移する。図６は本実施形態において、ライブビュー撮影設定画面の一例である。
【００４４】
Ｓ３１０では、システム制御部５０が、操作部７０の操作指示などによりライブビュー撮影設定画面の終了操作が行われたか否かを判定する。終了操作が行われたと判定した場合はＳ３１１に進む。一方、終了操作が行われていないと判定した場合は、Ｓ３１０に進む。Ｓ３１１では、システム制御部５０が、表示部２８にライブビュー撮影画面を表示する。Ｓ３１２では、システム制御部５０が、タッチボタン５０１の色を通常色に変更して、表示部２８に表示する。Ｓ３１３では、システム制御部５０が、操作部７０の操作指示などによりライブビュー撮影の終了操作が行われたか否かを判定する。終了操作が行われていればライブビュー撮影を終了する。一方、終了操作が行われていなければ、Ｓ３０２に進む。
【００４５】
［実施例２］
以下、図４を参照して、本発明の第２実施例によるライブビュー撮影の動作について説明する。本実施形態において、ライブビュー撮影を開始し、表示部が本体に収められている状態で、タッチボタン５０１に対して一定面積以上の領域へのタッチ操作が行われ、ライブビュー撮影を終了するまでの動作手順の一例を示すフローチャートである。Ｓ４０１では、システム制御部５０が、表示部２８にライブビュー撮影画面を表示する。
【００４６】
Ｓ４０２では、システム制御部５０が、表示部２８のタッチ反応領域にタッチ操作が行われたかどうかを判定する。タッチ操作が行われたと判定した場合はＳ４０３に進む。一方、タッチ操作が行われたと判定できなかった場合は、Ｓ４１３に進む。Ｓ４０３では、システム制御部５０が、表示部２８に表示されているタッチボタン５０１にタッチダウン操作が行われたかどうかを判定する。タッチボタン５０１にタッチダウン操作が行われたと判定した場合はＳ４０４に進む。一方、タッチボタン５０１にタッチダウン操作が行われていないと判定した場合は、Ｓ４０２に進む。
【００４７】
Ｓ４０４では、システム制御部５０が、検出したタッチ面積が一定以上の大きさかどうかを判定する。検出したタッチ面積が一定以上の大きさだと判定した場合はＳ４０５に進む。一方、検出したタッチ面積が一定以上の大きさでないと判定した場合はＳ４０６に進む。Ｓ４０５では、システム制御部５０が、表示部２８が視認できるような形でカメラ本体に収められているかどうかを判定する。視認できるような形でカメラ本体に収められていると判定した場合はＳ４１３に進む。一方、視認できるような形でカメラ本体に収められていないと判定した場合は、Ｓ４０６に進む。
【００４８】
Ｓ４０６では、システム制御部５０が、タッチボタン５０１の色を押下色に変更して、表示部２８に表示する。Ｓ４０７では、システム制御部５０が、表示部２８の表示されているタッチボタン５０１にムーブアウト操作が行われたかどうかを判定する。タッチボタン５０１にムーブアウト操作が行われたと判定した場合はＳ４１３に進む。一方、タッチボタン５０１にムーブアウト操作が行われていないと判定した場合は、Ｓ４０８に進む。
【００４９】
Ｓ４０８では、システム制御部５０が、表示部２８に表示されているタッチボタン５０１にタッチアップ操作が行われたかどうかを判定する。タッチボタン５０１にタッチアップ操作が行われたと判定した場合はＳ４０９に進む。一方、タッチボタン５０１にタッチアップ操作が行われていないと判定した場合は、Ｓ４０７に進む。Ｓ４０９では、システム制御部５０が、ライブビュー撮影設定画面へ遷移する。図６は本実施形態において、ライブビュー撮影設定画面の一例である。
【００５０】
Ｓ４１０では、システム制御部５０が、操作部７０の操作指示などによりライブビュー撮影設定画面の終了操作が行われたか否かを判定する。終了操作行われたと判定した場合はＳ４１１に進む。一方、終了操作が行われていないと判定した場合は、Ｓ４１０に進む。Ｓ４１１では、システム制御部５０が、表示部２８にライブビュー撮影画面を表示する。Ｓ４１２では、システム制御部５０が、タッチボタン５０１の色を通常色に変更して、表示部２８に表示する。
【００５１】
Ｓ４１３では、システム制御部５０が、操作部７０の操作指示などによりライブビュー撮影の終了操作が行われたか否かを判定する。終了操作が行われていればライブビュー撮影を終了する。一方、終了操作が行われていなければ、Ｓ４０２に進む。
【００５２】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００５３】
１００  デジタルカメラ、２２  撮像部、２３  Ａ／Ｄ変換機、２４  画像処理部、２８  表示部、５０  システム制御部、７０  操作部、２００  記憶媒体
【図１】
2018055139.tif 000003
【図２】
2018055139.tif 000004
【図３】
2018055139.tif 000005
【図４】
2018055139.tif 000006
【図５】
2018055139.tif 000007
【図６】
2018055139.tif 000008
【図７】
2018055139.tif 000009